(57)【要約】【課題】発電能力を増大させるとともに小型化・軽量化した光発電式補助電源装置を提供する。【解決手段】３枚の太陽電池パネル２１、２２、２３と、太陽電池パネル２１、２２、２３同士を互いに重ね合わせたり展開したりできるように連結した連結機構と、携帯電話機の充電用端子に接続されるコネクタ３０と、太陽電池パネル２１、２２、２３から出力される電力をコネクタ３０の出力端子に導く回路とを備えた。太陽電池パネル２１、２２、２３を展開することにより、大きな受光面積を確保できるので、大きな発電能力を発揮することができる。また二次電池および昇圧回路を備える必要がなく、不使用時には太陽電池パネル２１、２２、２３を互いに重ね合わせたコンパクトな状態にすることができるので、小型化・軽量化できる。【選択図】　図１
2004140987.tif 000002
【特許請求の範囲】
【請求項１】
複数の太陽電池パネルと、
前記複数の太陽電池パネル同士を互いに重ね合わせたり展開したりできるように連結した連結機構と、
携帯機器の充電用端子に接続されるコネクタと、
前記複数の太陽電池パネルから出力される電力を前記コネクタの出力端子に導く回路とを備えたことを特徴とする光発電式補助電源装置。
【請求項２】
前記複数の太陽電池パネルは、受光面をすべて同一方向に向けた状態で互いにスライドするように連結されていることを特徴とする請求項１記載の光発電式補助電源装置。
【請求項３】
前記複数の太陽電池パネルを互いに重ねて収納する筐体を備えるとともに、前記筐体の外面部に凹部を形成し、その凹部内に前記コネクタを格納できるように構成したことを特徴とする請求項１または２記載の光発電式補助電源装置。
【請求項４】
前記回路は、前記複数の太陽電池パネルのうちの一部または全パネル同士を直列接続していることを特徴とする請求項１〜３のいずれかに記載の光発電式補助電源装置。
【請求項５】
前記携帯機器は携帯電話機であり、
前記電源回路は、前記携帯機器の待受時における基礎消費電力を補うべく、前記コネクタの出力端子に電力を導くことを特徴とする請求項１〜４のいずれかに記載の光発電式補助電源装置。
【発明の詳細な説明】
【０００１】
【発明の属する技術分野】
本発明は、携帯機器用の光発電式補助電源装置に関し、特に複数の太陽電池パネルを備えることで発電能力を増大させた光発電式補助電源装置に関する。
【０００２】
【従来の技術】
従来の光発電式補助電源装置（充電装置）は、太陽電池パネルで発電した電力を、昇圧回路で昇圧して一旦二次電池に蓄えた後、携帯機器に供給する。
【０００３】
【発明が解決しようとする課題】
上記のように、従来の光発電式補助電源装置は二次電池とそれに付随する昇圧回路とを備えているため、発電能力の割には装置を小型化・軽量化できないという欠点があった。
【０００４】
本発明が解決しようとする課題は、発電能力を増大させるとともに小型化・軽量化した光発電式補助電源装置を提供することにある。
【０００５】
【課題を解決するための手段】
上記課題を解決するために、本発明の光発電式補助電源装置は、複数の太陽電池パネルと、前記複数の太陽電池パネル同士を互いに重ね合わせたり展開したりできるように連結した連結機構と、携帯機器の充電用端子に接続されるコネクタと、前記複数の太陽電池パネルから出力される電力を前記コネクタの出力端子に導く回路とを備えた。
【０００６】
上記のように構成した本発明の光発電式補助電源装置は、複数の太陽電池パネルで発電した電力を、回路によりコネクタの出力端子に導き、携帯機器の充電用端子に入力する。その際、複数の太陽電池パネルを展開することにより、大きな受光面積を確保できるので、大きな発電能力を発揮することができる。したがって、太陽電池パネルで発電した電力を、従来のように光発電式補助電源装置の二次電池を介すことなく、直接携帯機器に供給することができる。また二次電池および昇圧回路を備える必要がなく、不使用時には前記複数の太陽電池パネルを互いに重ね合わせた状態にすることができるので、小型化・軽量化を実現できる。
【０００７】
本発明の光発電式補助電源装置において、前記複数の太陽電池パネルは、受光面をすべて同一方向に向けた状態で互いにスライドするように連結されていることが望ましい。このように構成すれば、太陽電池パネル同士をスライドさせて受光面積を調節することにより、発電量を調節できる。
【０００８】
また、前記複数の太陽電池パネルを収納するための筐体を備え、当該筐体の外面部に凹部を形成し、その凹部内に前記コネクタを格納できるように構成しておくことが望ましい。このように構成すれば、不使用時に太陽電池パネルを筐体内に収納するとともに、コネクタを筐体の外面部に格納できるので、保管時や持ち運び時における太陽電池パネルおよびコネクタの破損を防止できるとともに、コンパクトな状態になるので持ち運びがし易くなる。
【０００９】
また、前記回路は、前記複数の太陽電池パネルのうちの一部または全パネル同士を直列接続していることが望ましい。このように構成すれば、昇圧回路を用いることなく高い出力電圧を得ることができる。
【００１０】
また、前記携帯機器は携帯電話機であり、前記回路は、前記携帯機器の待受時における基礎消費電力を補うべく、前記コネクタの出力端子に電力を導くことが望ましい。このように構成すれば、携帯電話機の待受時における基礎消費電力を補うことができるので、携帯電話機内の二次電池の電力消耗を抑えて携帯電話機を長時間使用することが可能になる。
【００１１】
【発明の実施の形態】
以下、本発明の実施の形態について図面を参照して説明する。
図１は本発明にかかる光発電式補助電源装置の実施の形態の一例を示す斜視図である。
【００１２】
この光発電式補助電源装置１０は、第１、第２、第３の合計３枚の太陽電池パネル２１、２２、２３と、図示しない携帯電話機の充電用端子に接続されるコネクタ３０と、筐体４０とを備えている。
【００１３】
第１の太陽電池パネル２１と第２の太陽電池パネル２２は、両者の受光面を同一方向に向けた状態で互いに一方向（矢印Ａ方向）にスライドするように連結機構により連結されている。第２の太陽電池パネル２２と第３の太陽電池パネル２３は、両者の受光面を同一方向（矢印Ｂ方向）に向けた状態で互いに一方向にスライドするように連結機構により連結されている。これにより第１、第２、第３の太陽電池パネル２１、２２、２３は、受光面をすべて同一方向に向けた状態で互いに同一方向にスライドするように連結され、図１（ｂ）に示すように互いに重ね合わせたり、図１（ａ）に示すように展開したりできるようになっている。第１の太陽電池パネル２１は、筐体４０の上面に設けられており、第２、第３の太陽電池パネル２２、２３は、筐体４０内に収納できるようになっている。
【００１４】
コネクタ３０は、ヒンジ部３１を介して筐体４０に回動可能に連結されている。図２に示すように、筐体４０の下面部には凹部４１が形成されており、その凹部４１内にコネクタ３０を格納できるようになっている。
筐体４０のコネクタ３０が格納される側には、回路基板５０が内蔵されている。回路基板５０上には、第１、第２、第３の太陽電池パネル２１、２２、２３から出力される電力をコネクタ３０の出力端子（３２）に導く回路が設けられている。
【００１５】
図３は回路の概略を示している。図示するように、第１、第２、第３の太陽電池パネル２１、２２、２３は互いに直列接続されており、その正（＋）側出力端子とコネクタ３０の出力端子３２（＋）との間には、携帯電話機側からの電力の逆流を防止するためにダイオード５１が設けられている。また、第１、第２、第３の太陽電池パネル２１、２２、２３と並列にインジケータ用の発光ダイオード５２が設けられている。この発光ダイオード５２は、筐体４０のコネクタ３０の近傍に設けられており、点灯することで発電中であることを知らせる。
【００１６】
上記のように構成した光発電式補助電源装置１０は、第１、第２、第３の合計３枚の太陽電池パネル２１、２２、２３で発電した電力を、コネクタ３０の出力端子枚の太陽電池パネル２１、２２、２３で発電した電力を、コネクタ３０の出力端子３２に導き、携帯電話機の充電用端子に入力する。その際、図１（ａ）に示すように太陽電池パネル２１、２２、２３を展開した状態にすることにより、大きな受光面積を確保できるので、大きな発電能力を発揮することができる。したがって、太陽電池パネル２１、２２、２３で発電した電力を、従来のように光発電式補助電源装置の二次電池を介すことなく、直接携帯電話機に供給することができる。また二次電池および昇圧回路を備える必要がなく、不使用時には太陽電池パネル２１、２２、２３を互いに重ね合わせた状態にすることができるので、小型化・軽量化を実現できる。
【００１７】
また、太陽電池パネル２１、２２、２３は、受光面をすべて同一方向に向けた状態で互いにスライドするように連結されているので、太陽電池パネル２１、２２、２３同士をスライドさせて受光面積を調節することにより、発電量を調節することができる。
【００１８】
また、太陽電池パネル２１、２２、２３を収納する筐体４０の外面部に凹部４１を形成し、その凹部４１内にコネクタ３０を格納できるように構成したので、不使用時に太陽電池パネル２１、２２、２３を筐体４０内に収納するとともに、コネクタ３０を筐体４０の外面部に格納することができる。これにより保管時や持ち運び時における太陽電池パネル２１、２２、２３およびコネクタ３０の破損を防止できるとともに、コンパクトな状態になるので光発電式補助電源装置１０の持ち運びがし易くなる。
【００１９】
また、太陽電池パネル２１、２２、２３同士を直列接続したことにより、昇圧回路を用いることなく高い出力電圧を得ることができる。これにより、携帯電話機の待受時における基礎消費電力を補うことができる程度の電力であれば容易に発生することができる。
【００２０】
なお、本発明の光発電式補助電源装置の構成は上記実施の形態に限定されるものではない。たとえば、太陽電池パネルの枚数は３枚に限らず、２枚あるいは４枚以上であってもよい。
【００２１】
また、光発電式補助電源装置が備えるすべての太陽電池パネルを互いに直列接続する必要は必ずしもない。たとえば図４に示すように、６枚の太陽電池パネル６１〜６６を備えた場合、３枚ずつ直列接続してもよい。
【００２２】
また、上記の例では、太陽電池パネル２１、２２、２３が互いに同一方向に直線的にスライドするように連結されているが、一部のパネルは異なる方向にスライドするようにしてもよい。たとえば図５に示すように、第２、第３の太陽電池パネル２２、２３の中あるいは下から、更に別の複数の太陽電池パネル７１〜７４が両側すなわち、パネル２１、２２、２３の互いのスライド方向と交差する方向にスライドして出てくるように構成してもよい。
【００２３】
また、上記の例では、太陽電池パネル同士をスライド可能に連結したが、ヒンジ部を介して回動可能に連結し、太陽電池パネル同士を折り畳んだり拡げたりできるようにしてもよい。
【００２４】
また、上記の例では、携帯電話機用の光発電式補助電源装置について説明したが、本発明の光発電式補助電源装置は、その他の携帯機器たとえば、ノートパソコンやＰＤＡ（Ｐｅｒｓｏｎａｌ　Ｄｉｇｉｔａｌ　Ａｓｓｉｓｔａｎｔ、携帯情報端末）などの補助電源装置にも適用可能である。また、高い発電能力を有するので充電装置としても使用可能である。
【００２５】
【発明の効果】
以上説明したように、本発明の光発電式補助電源装置は、複数の太陽電池パネルと、複数の太陽電池パネル同士を互いに重ね合わせたり展開したりできるように連結した連結機構と、携帯機器の充電用端子に接続されるコネクタと、複数の太陽電池パネルから出力される電力をコネクタの出力端子に導く電源回路とを備えたので、高い発電能力を確保しつつ小型化・軽量化することができる。
【図面の簡単な説明】
【図１】本発明にかかる光発電式補助電源装置の実施の形態の一例を示す斜視図であり、（ａ）は太陽電池パネルを展開した状態、（ｂ）は太陽電池パネルを重ね合わせた状態をそれぞれ示している。
【図２】図１に示す光発電式補助電源装置の背面の構造を示す斜視図である。
【図３】図１に示す光発電式補助電源装置の回路構成例を示す回路図である。
【図４】別の回路構成例を示す回路図である。
【図５】本発明にかかる光発電式補助電源装置の別の実施の形態を示す斜視図である。
【符号の説明】
１０：光発電式補助電源装置
２１、２２、２３：太陽電池パネル
３０：コネクタ
３２：出力端子
４０：筐体
４１：凹部
５０：回路基板
５１：逆流防止用のダイオード
５２：インジケータ用の発光ダイオード
６１〜６６：太陽電池パネル
７１〜７４：太陽電池パネル
【図１】
2004140987.tif 000003
【図２】
2004140987.tif 000004
【図３】
2004140987.tif 000005
【図４】
2004140987.tif 000006
【図５】
2004140987.tif 000007